(57)【特許請求の範囲】
【請求項１】
ユーザの片眼に画像を表示する表示部を備えた頭部装着型ディスプレイであって、
前記表示部の調整用の指標を再生する再生部を備え、
前記再生部は、
前記ユーザの眼を基準とした上下位置を調整するための第１の指標を前記表示部に表示し、前記第１の指標の上下端が見えるように前記ユーザが前記表示部の上下方向の位置を調整する第１の調整モードと、
前記表示部に第２の指標を表示するとともに、前記表示部に表示される第２の指標と相関を有する第３の指標を前記頭部装着型ディスプレイ以外の外部出力機器に出力し、前記表示部に表示した第２の指標と、前記外部出力機器に表示された第３の指標とが重なるように前記ユーザが前記表示部の位置を調整する第２の調整モードと、
を有し、
前記第１の調整モードによる調整を行った状態で、前記第２の調整モードによる調整を行うことを特徴とする頭部装着型ディスプレイ。
【発明の詳細な説明】
【技術分野】
【０００１】
本発明は、表示部を備えユーザの頭部に装着可能な頭部装着型ディスプレイに関する。
【背景技術】
【０００２】
近年、表示素子の小型化などにより、ユーザの頭部に装着可能な頭部装着型ディスプレイなどの表示装置が考えられている。このような表示装置は、表示部を適切な位置に調整して使用するのが好ましい。そこで、例えば、特許文献１の発明では、使用時に画像表示部が下を向いてしまうのを防ぐ技術が提案されている。
【先行技術文献】
【特許文献】
【０００３】
【特許文献１】国際公開番号  ＷＯ２００５／０６４９３０号公報
【発明の概要】
【発明が解決しようとする課題】
【０００４】
しかし、主にユーザの片眼に表示部の映像を表示する頭部装着型ディスプレイにおいて、表示部の位置を調整する際には、表示部の傾きの調整が正しく行われない場合がある。表示部の傾きが正しく調整されないと、ユーザが観察時に違和感を感じたり、眼疲労しやすくなるおそれがある。
【０００５】
本発明は、主にユーザの片眼に画像を表示する表示部を備え、ユーザの頭部に装着可能な頭部装着型ディスプレイにおいて、表示部の適切な位置調整を行わせることを目的とする。
【課題を解決するための手段】
【０００６】
本発明の一態様では、頭部装着型ディスプレイは、ユーザの片眼に画像を表示する表示部を備えた頭部装着型ディスプレイであって、表示部の調整用の指標を再生する再生部を備える。再生部は、ユーザの眼を基準とした上下位置を調整するための第１の指標を表示部に表示し、第１の指標の上下端が見えるようにユーザが表示部の上下方向の位置を調整する第１の調整モードと、表示部に第２の指標を表示するとともに、表示部に表示される第２の指標と相関を有する第３の指標を頭部装着型ディスプレイ以外の外部出力機器に出力し、表示部に表示した第２の指標と、外部出力機器に表示された第３の指標とが重なるようにユーザが表示部の位置を調整する第２の調整モードと、を有し、第１の調整モードによる調整を行った状態で、第２の調整モードによる調整を行う。
【発明の効果】
【００１２】
本発明によれば、主にユーザの片眼に画像を表示する表示部を備え、ユーザの頭部に装着可能な頭部装着型ディスプレイにおいて、表示部の適切な位置調整を行わせることができる。
【図面の簡単な説明】
【００１３】
【図１】頭部装着型ディスプレイ１００の外観図である。
【図２】表示部１１２の位置調整について説明する図である。
【図３】頭部装着型ディスプレイ１００の機能ブロック図である。
【図４】頭部装着型ディスプレイ１００の使用について説明する図である。
【図５】位置調整ガイダンスについて説明する図である。
【図６】位置調整ガイダンスについて説明する図である（続き）。
【図７】位置調整ガイダンスについて説明する図である（続き）。
【図８】位置調整ガイダンスについて説明する図である（続き）。
【図９】指標画像について説明する図である。
【図１０】調整用指標画像について説明する図である。
【発明を実施するための形態】
【００１４】
＜第１実施形態＞
以下、図面に基づいて本発明の第１実施形態について説明する。
【００１５】
図１は、頭部装着型ディスプレイ１００の外観図である。頭部装着型ディスプレイ１００は、図１に示すように本体１０１とリモートコントローラ１０２とターミナル１０３とから構成される。本体１０１とリモートコントローラ１０２とは、ケーブル１４０により接続される。また、リモートコントローラ１０２とターミナル１０３とは、ケーブル１４１により接続される。なお、ケーブル１４０およびケーブル１４１に代えて、無線で本体１０１とリモートコントローラ１０２とターミナル１０３とを接続する構成でも良い。
【００１６】
本体１０１は、通信部１１０、スピーカ１１１、連結部１１１ａ、表示部１１２、支持アーム１１２ａを備える。装着時にスピーカ１１１はユーザの両耳に装着され、連結部１１１ａの弾性力により、スピーカ１１１がユーザの両耳に保持される。表示部１１２は、装着時にユーザの左眼の前方に配置され、透過型ＬＣＤや有機ＥＬディスプレイなどの不図示の画像表示素子と画像表示素子の映像を拡大してユーザの眼に投影する不図示の光学系とを備える。なお、画像表示素子として、反射型ＬＣＤや、自発光型の素子を２次元的に配列したものなどの画像表示素子を用いても良い。
【００１７】
表示部１１２は、支持アーム１１２ａに支持される。支持アーム１１２ａは、図１の矢印ａの方向にスライドして移動する。表示部１１２および支持アーム１１２ａは、画像観察時には、図１の実線で示す位置に配置される。また、表示部１１２および支持アーム１１２ａは、画像観察時以外の場合には、軸ｂを中心に回動され、表示部１１２がユーザの頭頂部に配置される（図１の点線で示す位置）。この結果、表示部１１２は、画像観察時以外の場合には通信部１１０の近傍に配置され、ユーザの視界を遮らない。また、支持アーム１１２ａは、不図示の駆動部により図１の軸ｂを中心として、図１の矢印ｃの方向に回転可能である。したがって、前述した矢印ａの方向のスライドと、矢印ｃの方向の回転とにより、表示部１１２の位置をユーザの眼前に正しく調整することができる。
【００１８】
また、表示部１１２は、支持アーム１１２ａとの間にスライド部材１１２ｂと球面軸受け１１２ｃとを有し、ユーザ操作に基づいて、さらに詳細な位置および傾きなどを調整可能である。図２に、表示部１１２が有する画像表示素子と、ユーザの眼との関係について示す。表示部１１２は、図２Ａの側面図に示すように、支持アーム１１２ａを矢印ａの方向にスライドさせることで、矢印ａの方向にスライド可能であり、ユーザの眼を基準とした前後位置を調整可能である。また、表示部１１２は、球面軸受け１１２ｃにより矢印ｅの方向に回転可能であるとともに、図２Ｂの上面図に示すように、球面軸受け１１２ｃにより矢印ｆの方向にも回転可能である。したがって、ユーザの眼を基準とした傾きを調整可能である。また、表示部１１２は、図２Ｃの正面図に示すように、スライド部材１１２ｂにより矢印ｇの方向にスライド可能であり、ユーザの眼を基準とした左右位置を調整可能である。また、表示部１１２は、図２Ｄの正面図に示すように、球面軸受け１１２ｃにより矢印ｉの方向に回転可能である。したがって、ユーザの眼の光軸と垂直な面内における傾きを調整可能である。
【００１９】
リモートコントローラ１０２は、図１に示すように、前面に電源ボタン、十字ボタン、メニューボタンなどの操作部１２０を備えるとともに、上面に通信部１２１のコネクタ１２１ａを備える。また、ターミナル１０３は、図１に示すように、上面に通信部１３１のコネクタ１３１ａを備え、側面にケーブルなどを介して表示素子やコンピュータなどの外部機器と接続する接続部１３２を備える。なお、ターミナル１０３には、液晶モニタなどの表示部やボタンなどの操作部を備えても良い。また、ターミナル１０３に、記録媒体を着脱可能な構成としても良い。
【００２０】
図３は、頭部装着型ディスプレイ１００の機能ブロック図である。
【００２１】
リモートコントローラ１０２は、各部を制御する制御部１２２を備える。制御部１２２は、操作部１２０の状態を検知するとともに、通信部１２１と相互に接続される。
【００２２】
ターミナル１０３は、接続部１３２、表示部１１２の表示を制御する表示制御部１３３、表示部１１２に表示する画像情報、スピーカ１１１に出力する音声情報に加えて、後述する位置調整ガイダンスに関する情報を記憶する記憶部１３４の各部を備えるとともに、各部を制御する制御部１３５を備える。
【００２３】
制御部１３５は、通信部１３１、接続部１３２、表示制御部１３３、記憶部１３４の各部と相互に接続される。また、表示制御部１３３の出力は通信部１３１に接続される。
【００２４】
制御部１３５は、通信部１３１および通信部１２１を介してリモートコントローラ１０２から送られる指示にしたがって、通信部１３１、通信部１２１、通信部１１０を介してスピーカ１１１に対する音声の再生や、表示部１１２に対する画像の表示を行う。
【００２５】
以上説明した構成の頭部装着型ディスプレイ１００における、表示部１１２の位置調整ガイダンスについて説明する。
【００２６】
本実施形態では、頭部装着型ディスプレイ１００のターミナル１０３と外部機器であるテレビとを接続部１３２を介して接続して、位置調整ガイダンスを行う場合を例に挙げて説明する。制御部１３５は、記憶部１３４に記憶した位置調整ガイダンスに関する情報を、表示部１１２とテレビとを用いて再生して位置調整ガイダンスを行う。なお、位置調整ガイダンスを行うタイミングは、頭部装着型ディスプレイ１００の電源がＯＮされたタイミングでも良いし、操作部１２０を介したユーザ指示に基づくタイミングでも良い。また、頭部装着型ディスプレイ１００の使用履歴（使用回数、累積使用時間、頭部装着型ディスプレイ１００を前回使用してから今回使用するまでの経過時間など）などに応じて、制御部１３５が位置調整ガイダンスを行うタイミングを決定しても良い。
【００２７】
本実施形態の頭部装着型ディスプレイ１００は、図１で説明したように、装着時にユーザの左眼の前方に配置される。頭部装着型ディスプレイ１００の使用時には、ユーザは、図４Ａに示すように、表示部１１２より前方において拡大された表示部１１２の像を観察することになる。この際には、拡大された像が、ユーザの眼から１ｍ程度に存在すると、好ましい観察を行うことが知られている。また、画像などの観察時には、ユーザの視線は、地面と平行よりも少し下向きである場合に、眼疲労が発生しづらいことが知られている。
【００２８】
また、人間の眼は、図４Ｂに示すように、遠くを目視する場合には眼の視軸（ユーザの眼の光軸）は略平行になるが、近くを目視する場合には両眼がそれぞれ内側に回転し、視軸は平行に比べてお互いに内側に回転する。このような両眼の視線方向の成す角は輻輳角と呼ばれ、輻輳角度は、θで表す。したがって、頭部装着型ディスプレイ１００の使用時には、表示部１１２を図４Ｂに示すように、少し内側に傾けて調整するのが好ましい。
【００２９】
そこで、本実施形態では、図４Ａおよび図４Ｂで説明したように、頭部装着型ディスプレイ１００の使用時に、ユーザの眼から１ｍ程度に存在する表示部１１２の拡大された像を、少し見下ろした状態で観察できるように表示部１１２の位置を調整するための位置調整ガイダンスを例に挙げて説明する。
【００３０】
図５から図８は、位置調整ガイダンス時に、表示部１１２とテレビやモニタなどの外部表示デバイスとに再生される画像を示す。以下の説明では、外部の表示デバイスとしてテレビを例示する。しかし、本発明はこの例に限定されない。図５から図８において、左側の列のＧｘＡ（ｘ＝１〜１６）は、テレビに再生される画像を示し、左側の列のＧｘａ（ｘ＝１〜１６）は、表示部１１２に再生される画像を示す。記憶部１３４は、図５から図８に示す各画像と、各画像の再生順序、各画像の表示先（表示部１１２またはテレビ）とを対応づけて予め記憶する。
【００３１】
制御部１３５は、まず、図５のＧ１ａに示す画像を、各部を介して表示部１１２に表示する。また、制御部１３５は、その画像出力を接続１３２にも出力し、ユーザが頭部装着型ディスプレイ１００をテレビに接続した場合には、同じ画像がテレビに表示されるようにする。Ｇ１ａの画像は、頭部装着型ディスプレイ１００のターミナル１０３とテレビとの接続をユーザに促す文章と、図または画像とから構成される。次に、制御部１３５は、図５のＧ２Ａに示す画像を、接続部１３２を介してテレビに表示する。このとき、表示部１１２には画像を表示しない（表示部１１２：ＯＦＦ）。Ｇ２Ａの画像は、位置調整に適した位置（ユーザの眼から１ｍ程度に存在するテレビを、少し見下ろした状態で観察できる位置）へのユーザの移動を促すための文章と、図または画像とから構成される。
【００３２】
制御部１３５は、図５のＧ３Ａに示す画像を、接続部１３２を介してテレビに表示する。このとき、表示部１１２はＯＦＦのままである。Ｇ３Ａの画像は、頭部装着型ディスプレイ１００のユーザの頭部への装着を促すための文章と、図または画像とから構成される。次に、制御部１３５は、図５のＧ４Ａに示す画像を、接続部１３２を介してテレビに表示する。このとき、表示部１１２はＯＦＦのままである。Ｇ４Ａの画像は、頭部装着型ディスプレイ１００の表示部１１２への視線の移動をユーザに促す文章と、図または画像とから構成される。ユーザは、このＧ４Ａの画像を目視することにより、頭部装着型ディスプレイ１００の表示部１１２に表示された指示にしたがって、位置調整を開始する。
【００３３】
制御部１３５は、図６のＧ５Ａに示す画像を、接続１３２を介してテレビに表示する。このとき、制御部１３５は、表示部１１２には画像を表示しなくて良い。Ｇ５ａの画像は、支持アーム１１２ａを調整して、表示部１１２をユーザの眼前に配置することを促す文章と、調整する位置や調整方法を示す図または画像とから構成される。ユーザは、このＧ５Ａの画像を目視することにより、調整方法を確認することができる。次に、制御部１３５は、図６のＧ６ａに示す画像を、各部を介して表示部１１２に表示する。このとき、テレビはＯＦＦにする。Ｇ６ａの画像は、支持アーム１１２ａの調整に関する指標画像である。ユーザは、このＧ６ａの画像を目視しながら指標画像の上下端が見えるように調整を行うことにより、表示部１１２の適切な位置調整を行うことができる。制御部１３５は、同様に、図６のＧ７Ａの画像を、接続１３２を介してテレビに表示する。Ｇ７Ａの画像は、表示部１１２の前後位置を調整するための調整方法および指標画像である。
【００３４】
そして、制御部１３５は、Ｇ８ａの画像を、各部を介して表示部１１２に表示する。このとき、制御部１３５は、接続部１３２へは画像を出力しなくても良い。ユーザは、この指標画像を見ながら、両端の指標が見えるように表示部１１２の前後位置の調整を行う。次に、制御部１３５は、図７のＧ９ａに示す画像を、各部を介して表示部１１２に表示する。このとき、表示部１１２である程度良好に表示が見られるようになるので、テレビはＯＦＦにする。Ｇ９ａの画像は、支持アーム１１２ａを調整して、表示部１１２をユーザの眼前に配置することを促す文章と、調整する位置や調整方法を示す図または画像とから構成される。次に、制御部１３５は、図７のＧ１０ａに示す画像を、各部を介して表示部１１２に表示する。このとき、テレビはＯＦＦのままである。Ｇ１０ａの画像は、支持アーム１１２ａを調整する際のより具体的な調整方法を示す図または画像とから構成される。ユーザは、このＧ９ａおよびＧ１０ａの画像を目視することにより、調整方法を確認することができる。次に、制御部１３５は、図７のＧ１１ａに示す画像を各部を介して表示部１１２に表示するとともに、図７のＧ１１Ａに示す画像を接続部１３２を介してテレビに表示する。Ｇ１１ＡおよびＧ１１ａの画像は、支持アーム１１２ａの調整に関する指標画像であり、相関を有する。ユーザは、図７のＧ１０ａの画像に示すように、左眼で表示部１１２を目視し、右眼でテレビを目視して２つのマーク（Ｇ１１ＡおよびＧ１１ａのマーク）が重なるように表示部１１２の位置を調整する。その結果、頭部装着型ディスプレイ１００の使用時に、ユーザの眼から１ｍ程度に存在する表示部１１２の拡大された像を、少し見下ろした状態で観察できるように表示部１１２の位置調整を行うことができる。
【００３５】
制御部１３５は、Ｇ９ａおよびＧ１０ａと同様に、図７のＧ１２ａおよび図８のＧ１３ａの画像を、各部を介して表示部１１２に表示する。このとき、テレビはＯＦＦのままである。次に、制御部１３５は、図８のＧ１４ａに示す画像を各部を介して表示部１１２に表示するとともに、図８のＧ１４Ａに示す画像を接続部１３２を介してテレビに表示する。Ｇ１４ＡおよびＧ１４ａの画像は、支持アーム１１２ａの調整に関する指標画像であり、相関を有する。ユーザは、図８のＧ１４ａの画像に示すように、左眼で表示部１１２を目視し、右眼でテレビを目視して２つのマーク（Ｇ１４ＡおよびＧ１４ａのマーク）が重なるように表示部１１２の位置を調整することにより、適切な調整を行うことができる。
【００３６】
制御部１３５は、図８のＧ１５ａに示す画像を、各部を介して表示部１１２に表示する。このとき、制御部１３５は、テレビには画像を表示しない（テレビ：ＯＦＦ）。Ｇ１５ａの画像は、表示部１１２のユーザの眼を基準とした上下位置および左右位置を調整するとともに、ユーザの眼の光軸と垂直な面内における傾きを調整するための調整方法を示す図または画像とから構成される。ユーザは、このＧ１５ａの画像を目視することにより、調整方法を確認することができる。次に、制御部１３５は、図８のＧ１６ａに示す画像を、各部を介して表示部１１２に表示する。このとき、テレビはＯＦＦのままである。Ｇ１６ａの画像は、支持アーム１１２ａの調整に関する指標画像である。ユーザは、このＧ６ａの画像を目視しながら調整を行うことにより、表示部１１２の適切な位置調整を行うことができる。
【００３７】
制御部１３５は、図５から図８で説明したＧ１Ａ〜Ｇ１６Ａの画像を接続部１３２を介して順次テレビに表示するとともに、図５から図８で説明したＧ１ａ〜Ｇ１６ａの画像を各部を介して順次表示部１１２に表示して位置調整ガイダンスを行う。ユーザは、これらの画像を目視し、調整方法の確認と指標画像を用いた調整とを順次行うことができる。なお、図５から図８で説明したＧ１Ａ〜Ｇ１６ＡおよびＧ１ａ〜Ｇ１６ａの順番は、各部の位置調整を最適な順序に配列したものである。したがって、この順番で調整を行うことにより、初心者であっても効率良く表示部１１２の位置調整を行うことができる。
【００３８】
なお、図５から図８で説明した位置調整ガイダンスは、一例であり、調整方法を示す文章、図、画像や指標画像はこの例に限定されない。例えば、図７のＧ１１ＡおよびＧ１１ａで示した、相関を有する指標を、図９Ｂに示す指標に置き換えても良い。図９Ｂに示すように、互いに反転した指標により、図７のＧ１１ＡおよびＧ１１ａと同様の機能を果たすことができる。また、図８のＧ１４ＡおよびＧ１４ａについても同様である。
【００３９】
一方、調整方法の表示は、Ｇ９Ａ以降、表示部１１２に表示する例を示したが、同時に接続部１３２にも出力し、テレビでも確認できるようにしても良い。
【００４０】
また、位置調整ガイダンスは、ユーザの所望のタイミングで中止や一時停止可能な構成としても良い。
【００４１】
以上説明したように、第１実施形態によれば、主にユーザの片眼に画像を表示する表示部を備えた頭部装着型ディスプレイにおいて、表示部の位置調整ガイダンスを再生する再生部と、頭部装着型ディスプレイ以外の外部出力機器に接続する接続部と、再生部により少なくとも表示部に出力される第１の位置調整ガイダンスを示す情報と、第１の調整ガイダンスと関連付けられ、再生部により外部出力機器に出力される第２の位置調整ガイダンスを示す情報とを記憶する記憶部とを備える。したがって、主にユーザの片眼に画像を表示する表示部を備え、ユーザの頭部に装着可能な頭部装着型ディスプレイにおいて、表示部の適切な位置調整を行わせることができる。
【００４２】
また、第１実施形態によれば、第１の位置調整ガイダンスを示す情報および第２の位置調整ガイダンスを示す情報は、調整に関する指標を示す情報を有し、第１の位置調整ガイダンスおよび第２の位置調整ガイダンスの指標を示す情報は相関を有する。したがって、ユーザは、２つの指標が重なるように表示部の位置を調整することにより、簡単に適切な調整を行うことができる。
【００４３】
なお、第１実施形態では、外部機器としてテレビを用いて説明したが、テレビの代わりにコンピュータなどを使用しても良い。また、コンピュータに、図５から図８のＧｘＡ（ｘ＝１〜１６）に対応する画像を順次表示するためのプログラムを、記録媒体やインターネットを介してインストールする構成としても良い。この場合、頭部装着型ディスプレイ１００における位置調整ガイダンスに合わせて、コンピュータ側の位置調整ガイダンスをユーザが手動で進める構成としても良い。また、コンピュータと頭部装着型ディスプレイ１００のターミナル１０３とを接続し、所定のタイミング制御信号をコンピュータから頭部装着型ディスプレイ１００へ送る。そして、制御部１３５でタイミング制御信号を受信し、コンピュータから供給される画像データを表示するか否かを判定して、表示部１１２に位置調整ガイダンスのコンテンツを適当なタイミングで表示することにより、第１実施形態と同様に双方の位置調整ガイダンスを同期させても良い。
【００４４】
また、第１実施形態では、位置調整ガイダンス時に、表示部１１２やテレビの表示をＯＦＦする例を示したが、ＯＦＦする代わりに均一の画像（黒など）を表示しても良い。また、表示部１１２に何らかの画像が表示されている場合には、その背景画像をテレビに表示し、テレビに何らかの画像が表示されている場合には、その背景画像を表示部１１２に表示しても良い。
【００４５】
＜第２実施形態＞
以下、図面に基づいて本発明の第２実施形態について説明する。第２実施形態では、第１実施形態と異なる部分についてのみ説明する。第２実施形態の頭部装着型ディスプレイは、第１実施形態の頭部装着型ディスプレイ１００と同様の構成を有する。したがって、第２実施形態の頭部装着型ディスプレイの図示および構成の説明を省略し、第１実施形態の図１および図３と同様の符号を用いて説明する。
【００４６】
第２実施形態における表示部１１２の位置調整ガイダンスについて説明する。
【００４７】
本実施形態では、頭部装着型ディスプレイ１００と頭部装着型ディスプレイ１００の外部に配置される調整用指標とを用いて、位置調整ガイダンスを行う場合を例に挙げて説明する。調整用指標とは、図１０Ａに示すように、頭部装着型ディスプレイ１００の外箱Ｂに印刷された指標である。この調整用指標は、頭部装着型ディスプレイ１００において行われる位置調整ガイダンスと対応づけられたものであり、外箱Ｂの側面などに予め印刷される。なお、外箱以外にも、図１０Ｂに示すように、直立可能な調整用指標であっても良い。また、紙などに印刷された調整用指標でもあっても良い。このような調整用指標は、頭部装着型ディスプレイ１００とともに用意されても良いし、インターネットなどを介してコンピュータにより取得し、プリントアウトしたものでも良い。調整用指標の使用方法は後述する。
【００４８】
制御部１３５は、記憶部１３４に記憶した位置調整ガイダンスに関する情報を、表示部１１２に再生して位置調整ガイダンスを行う。なお、位置調整ガイダンスを行うタイミングは、頭部装着型ディスプレイ１００の電源がＯＮされたタイミングでも良いし、操作部１２０を介したユーザ指示に基づくタイミングでも良い。また、頭部装着型ディスプレイ１００の使用履歴（使用回数、累積使用時間、頭部装着型ディスプレイ１００を前回使用してから今回使用するまでの経過時間など）などに応じて、制御部１３５が位置調整ガイダンスを行うタイミングを決定しても良い。
【００４９】
本実施形態では、第１実施形態と同様に、頭部装着型ディスプレイ１００の使用時に、ユーザの眼から１ｍ程度に存在する表示部１１２の拡大された像を、少し見下ろした状態で観察できるように表示部１１２の位置を調整するための位置調整ガイダンスを例に挙げて説明する。
【００５０】
頭部装着型ディスプレイ１００の位置調整ガイダンスに関して、取扱説明書や外箱などに、調整用指標を位置調整に適した位置（ユーザの眼から１ｍ程度で、ユーザから見て少し見下ろした位置）に配置させることと、図５のＧ３Ａ、Ｇ４ＡおよびＧ５Ａに対応する説明が記載されているものとする。
【００５１】
制御部１３５は、図６から図８のＧ６ａ、Ｇ７Ａ、Ｇ８ａからＧ１６ａと略同様の画像を各部を介して順次表示部１１２に表示する。ただし、Ｇ１０ａにおいて、制御部１３５は、左眼で表示部１１２を目視し、右眼で調整用指標を目視して２つのマーク（Ｇ１１Ａおよび調整用指標のマーク）が重なるように表示部１１２の位置を調整することを示す画像を表示する。ユーザは、左眼で表示部１１２を目視し、右眼で調整用指標を目視して２つのマーク（Ｇ１１Ａおよび調整用指標のマーク）が重なるように表示部１１２の位置を調整する。Ｇ１１Ａの指標および調整用指標は相関を有するので、このような調整を行うことにより、頭部装着型ディスプレイ１００の使用時に、ユーザの眼から１ｍ程度に存在する表示部１１２の拡大された像を、少し見下ろした状態で観察できるように表示部１１２の位置調整を行うことができる。Ｇ１３ａについても同様である。
【００５２】
なお、本実施形態で説明した位置調整ガイダンスは、一例であり、調整方法を示す文章、図、画像や指標画像はこの例に限定されない。また、位置調整ガイダンスは、ユーザの所望のタイミングで中止や一時停止可能な構成としても良い。
【００５３】
以上説明したように、第２実施形態によれば、頭部装着型ディスプレイは、画像を表示する表示部と、表示部の位置調整ガイダンスを再生する再生部と、調整用指標と関連付けられ、再生部により少なくとも表示部に出力される位置調整ガイダンスを示す情報を記憶する記憶部とを備える。したがって、第１実施形態と同様に、主にユーザの片眼に画像を表示する表示部を備え、ユーザの頭部に装着可能な頭部装着型ディスプレイにおいて、表示部の適切な位置調整を行わせることができる。
【００５４】
また、第２実施形態によれば、位置調整ガイダンスを示す情報は、調整に関する指標を示す情報を有し、調整に関する指標は調整用指標と相関を有する。したがって、ユーザは、２つの指標が重なるように表示部の位置を調整することにより、簡単に適切な調整を行うことができる。
【００５５】
なお、第２実施形態では、調整用指標として印刷物を例に挙げて説明したが、印刷物でなくても良い。例えば、コンピュータやＴＶなどの表示装置を使用して、調整用指標を表示する構成としても良い。
【００５６】
また、上記各実施形態では、ユーザが、頭部装着型ディスプレイ１００の使用時に、ユーザの眼から１ｍ程度に存在する表示部１１２の拡大された像を、少し見下ろした状態で観察できるように表示部１１２の位置を調整させるための位置調整ガイダンスを例に挙げて説明したが、これ以外の調整にも本発明を同様に適用することができる。例えば、頭部装着型ディスプレイ１００の使用時に、左眼と右眼とで異なる画像を観察できるように表示部１１２の位置を調整させる場合にも、本発明を同様に適用することができる。
【００５７】
また、上記各実施形態では、表示部１１２を用いた位置調整ガイダンスについて説明したが、スピーカ１１１を用いた音声による位置調整ガイダンスを組み合わせる構成としても良い。音声による位置調整ガイダンスを組み合わせる場合には、表示部１１２に表示する画像と同期した音声情報を再生すれば良い。
【００５８】
また、上記各実施形態で説明した構成以外の頭部装着型ディスプレイにも本発明を同様に適用することができる。例えば、表示部を頭頂部方向に跳ね上げるオーバーヘッドアーム形状の頭部装着型ディスプレイの代わりに、表示部をスライド式に出し入れする頭部装着型ディスプレイにも本発明を同様に適用することができる。また、本実施形態で説明したターミナルと本体とが一体となった頭部装着型ディスプレイにも本発明を同様に適用することができる。
【符号の説明】
【００５９】
１００…頭部装着型ディスプレイ，１１２…表示部，１１２ａ…支持アーム，１３２…接続部，１３４…記憶部，１３５…制御部
【図１】
0005494731.tif 000002
【図２】
0005494731.tif 000003
【図３】
0005494731.tif 000004
【図４】
0005494731.tif 000005
【図５】
0005494731.tif 000006
【図６】
0005494731.tif 000007
【図７】
0005494731.tif 000008
【図８】
0005494731.tif 000009
【図９】
0005494731.tif 000010
【図１０】
0005494731.tif 000011